(57)【要約】【課題】くさびのフランジへの緊結及び取外しをハンマー等を用いずに容易に行うことができるくさび着脱機構を提供する。【解決手段】本発明のくさび着脱機構は、支柱１に設けられたフランジ３と、一端部がフランジ３に連結される水平材２と、水平材２の一端部を上方から貫通しつつフランジ３のフランジ孔４に挿入して緊結するくさび７と、本体１２を有するくさび着脱工具１１とを備える。くさび着脱工具１１は、本体１２の一端部の掛止部１４と、本体１２の中央寄りの凸状部１５と、本体１２の他端部の力点部１６とを有し、力点部１６を押圧することにより、かつ水平材２に当接された凸状部１５を支点にしてくさび７の第１突起７ａに掛止された掛止部１４を押圧方向と反対方向に変位させるとともにくさび７を反対方向に変位させ、これによりくさび７をフランジ孔４に緊結させて水平材２を支柱１に固定する。【選択図】図６
2014129710.tif 000002
【特許請求の範囲】
【請求項１】
仮設足場を構築する支柱に設けられた略板状のフランジと、
一端部が前記フランジに連結される長尺状の水平材と、
前記水平材の一端部を上方から貫通しつつ前記フランジのフランジ孔に挿入して緊結するくさびと、
長尺状の本体を有するくさび着脱工具とを備え、
前記くさび着脱工具は、
前記本体の一端部に設けられ、かつ前記くさびに形成された突起に掛止され、作用点として機能する掛止部と、
前記本体の中央寄りに設けられ、かつ前記仮設足場で用いられるいずれかの部材に当接され、支点として機能する側面視凸状部と、
前記本体の他端部に設けられ、力点として機能する力点部とを有し、
前記力点部を押圧することにより、前記凸状部を支点にして前記掛止部を前記押圧方向と反対方向に変位させるとともに前記くさびを前記反対方向に変位させ、
これにより前記くさびを前記フランジ孔に緊結させて前記水平材を前記支柱に固定する、又は前記くさびを前記フランジ孔から弛緩させて前記水平材を前記支柱から取り外すことを特徴とする、くさび着脱機構。
【請求項２】
前記掛止部は、前記くさびの下端部に形成された第１突起に掛止され、
前記凸状部は、前記水平材の下面に当接され、
前記力点部を前記水平材側に押圧することにより、前記凸状部を支点にして前記掛止部を前記押圧方向と反対方向に変位させるとともに前記くさびを前記反対方向に変位させ、
これにより前記くさびを前記フランジ孔に緊結させて前記水平材を前記支柱に固定する、請求項１に記載のくさび着脱機構。
【請求項３】
前記掛止部は、前記くさびの上端部に形成された第２突起に掛止され、
前記凸状部は、前記水平材の上面に当接され、
前記力点部を前記水平材側に押圧することにより、前記凸状部を支点にして前記掛止部を前記押圧方向と反対方向に変位させるとともに前記くさびを前記反対方向に変位させ、
これにより前記くさびを前記フランジ孔から弛緩させて前記水平材を前記支柱から取り外す、請求項１に記載のくさび着脱機構。
【請求項４】
支柱に設けられた略板状のフランジと、
一端部が前記フランジに連結される長尺状の水平材と、
前記水平材の一端部を上方から貫通しつつ前記フランジのフランジ孔に挿入して緊結するくさびと、を備える仮設足場に用いられるくさび着脱工具であって、
長尺状の本体と、
前記本体の一端部に設けられ、かつ前記くさびの下端部に形成された第１突起に掛止され、作用点として機能する掛止部と、
前記本体の中央寄りに設けられ、かつ前記水平材の下面に当接され、支点として機能する側面視凸状部と、
前記本体の他端部に設けられ、力点として機能する力点部と、を備え、
前記力点部を押圧することにより、前記凸状部を支点にして前記掛止部を前記押圧方向と反対方向に変位させるとともに前記くさびを前記反対方向に変位させ、
これにより前記くさびを前記フランジ孔に緊結させて前記水平材を前記支柱に固定することを特徴とする、くさび着脱工具。
【請求項５】
前記掛止部は、前記くさびの上端部に形成された第２突起に掛止され、
前記凸状部は、前記水平材の上面に当接され、
前記力点部を押圧することにより、前記凸状部を支点にして前記掛止部を前記押圧方向と反対方向に変位させるとともに前記くさびを前記反対方向に変位させ、
これにより前記くさびを前記フランジ孔から弛緩させて前記水平材を前記支柱から取り外す、請求項４に記載のくさび着脱工具。
【請求項６】
前記凸状部の表面は、前記水平材に沿うようにテーパが形成されている、請求項１ないし５のいずれかに記載のくさび着脱工具。
【請求項７】
支柱に設けられた略板状のフランジと、
一端部が前記フランジに連結される長尺状の水平材と、
前記水平材の一端部を上方から貫通しつつ前記フランジのフランジ孔に挿入して緊結するくさびと、を備える仮設足場に用いられるくさび着脱方法であって、
長尺状の本体を有するくさび着脱工具を準備し、
前記本体の一端部を前記くさびの下端部に形成された第１突起に掛止させて作用点とし、
前記本体の中央寄りに形成された側面視凸状部を前記水平材の下面に当接させて支点とし、
前記本体の他端部を力点とし、
前記本体の他端部を押圧することにより、前記凸状部を支点にして前記本体の一端部を前記押圧方向と反対方向に変位させるとともに前記くさびを前記反対方向に変位させ、
これにより前記くさびを前記フランジ孔に緊結させて前記水平材を前記支柱に固定することを特徴とする、くさび着脱方法。
【請求項８】
前記本体の一端部を前記くさびの上端部に形成された第２突起に掛止させて作用点とし、
前記凸状部を前記水平材の上面に当接させて支点とし、
前記本体の他端部を力点とし、
前記本体の他端部を押圧することにより、前記凸状部を支点にして前記本体の一端部を前記押圧方向と反対方向に変位させるとともに前記くさびを前記反対方向に変位させ、
これにより前記くさびを前記フランジ孔から弛緩させて前記水平材を前記支柱から取り外す、請求項７に記載のくさび着脱方法。
【発明の詳細な説明】
【技術分野】
【０００１】  本発明は、例えば建築現場等で組み立てられ、支柱と水平材との固定にくさびが用いられるくさび緊結式足場において、くさびを着脱する際のくさび着脱機構、くさび着脱工具、及びくさび着脱工具を用いたくさび着脱方法に関するものである。
【背景技術】
【０００２】  従来、マンション等の増改築や改修工事（塗装、タイル貼り、防水補修又はひび補修等）が実施される建築現場においては、建築物の周囲に作業者が高所作業を行うための仮設足場が組み立てられる。仮設足場としては、例えば各部材を連結する際、くさびが用いられるくさび緊結式足場が知られている（例えば特許文献１参照）。【０００３】  図８は、従来のくさび緊結式足場において支柱２１に水平材２２が取付けられる状態を示す部分斜視図である。同図によれば、支柱２１には所定間隔を隔てて複数のフランジ２３が設けられ、フランジ２３には複数のフランジ孔２４が形成されている。複数のフランジ孔２４のうちいずれかのフランジ孔２４には、水平材２２の一端部が嵌合されて取付けられる。【０００４】  水平材２２は、円筒状のパイプ部材２５と、その両端に設けられた連結部材２６と、連結部材２６とフランジ２３とを連結するためのくさび２７とを備えている。連結部材２６は、側面視で略ワニ口状に形成されている。すなわち、連結部材２６は、支柱２１側の側面に側面開口２８が形成され、その上面にくさび２７を挿入するための上面開口２９が形成され、その下面に、挿入されたくさび２７が突出される下面開口３０（図９参照）がそれぞれ形成されている。側面開口２８、上面開口２９及び下面開口３０は、それぞれ連結部材２６の内部で連通されている。【０００５】  くさび２７は長尺状に形成され、その上端部には、ハンマー３２（後述）等で衝打される幅広の衝打部２７ａが形成されている。また、くさび２７の下端部には、幅方向に突出した突出部３１が形成されている。【０００６】  上記構成において、くさび緊結式足場の組立時に水平材２２を支柱２１に固定する際、図８に示すように、連結部材２６の側面開口２８をフランジ２３にあてがう。次いで、図９に示すように、くさび２７を上面開口２９と、フランジ２３のフランジ孔２４とに挿入し、先端を連結部材２６の下面開口３０から突出させる。その後、衝打部２７ａを例えばハンマー３２で衝打することにより、くさび２７は、フランジ孔２４に強固に緊結され、これにより水平材２２は支柱２１に固定される。また、水平材２２を支柱２１から取外す際には、フランジ孔２４に緊結されたくさび２７の下端をハンマー３２で衝打することにより行う。【０００７】  しかしながら、このようなくさび緊結式足場においては、水平材２２を支柱２１に固定する際、あるいは水平材２２を支柱２１から取外す際、ハンマー３２等でくさび２７を衝打するため、騒音が大きく、仮設足場が例えば住宅地の中にある場合には近隣の住民から苦情がでる等の問題点がある。また、くさび２７を強固に打ち込むことから、部材が損傷しやすいといった問題点も生じる。【０００８】  さらに、水平材２２を支柱２１に強固に固定するためには、フランジ孔２４に強固にくさび２７を打ち込まなければならず、ある程度の衝打力が必要である。そのため、取付けるくさび２７の量が多くなると、作業者は多大な労力を要するといった問題点も生じていた。【０００９】
【先行技術文献】
【特許文献】
【００１０】
【特許文献１】特開平６−２８０４０４号公報
【発明の概要】
【発明が解決しようとする課題】
【００１１】  本発明は、上記した事情のもとで考え出されたものであって、くさびのフランジへの緊結及び取外しをハンマー等を用いずに容易に行うことができるくさび着脱機構及びくさび着脱工具を提供することをその課題とする。また、このくさび着脱工具を用いたくさび着脱方法を提供することをその課題とする。
【課題を解決するための手段】
【００１２】  本発明の第１の側面によって提供されるくさび着脱機構は、仮設足場を構築する支柱に設けられた略板状のフランジと、一端部が前記フランジに連結される長尺状の水平材と、前記水平材の一端部を上方から貫通しつつ前記フランジのフランジ孔に挿入して緊結するくさびと、長尺状の本体を有するくさび着脱工具とを備え、前記くさび着脱工具は、前記本体の一端部に設けられ、かつ前記くさびに形成された突起に掛止され、作用点として機能する掛止部と、前記本体の中央寄りに設けられ、かつ前記仮設足場で用いられるいずれかの部材に当接され、支点として機能する側面視凸状部と、前記本体の他端部に設けられ、力点として機能する力点部とを有し、前記力点部を押圧することにより、前記凸状部を支点にして前記掛止部を前記押圧方向と反対方向に変位させるとともに前記くさびを前記反対方向に変位させ、これにより前記くさびを前記フランジ孔に緊結させて前記水平材を前記支柱に固定する、又は前記くさびを前記フランジ孔から弛緩させて前記水平材を前記支柱から取り外すことを特徴としている。【００１３】  本発明のくさび着脱機構において、前記掛止部は、前記くさびの下端部に形成された第１突起に掛止され、前記凸状部は、前記水平材の下面に当接され、前記力点部を前記水平材側に押圧することにより、前記凸状部を支点にして前記掛止部を前記押圧方向と反対方向に変位させるとともに前記くさびを前記反対方向に変位させ、これにより前記くさびを前記フランジ孔に緊結させて前記水平材を前記支柱に固定するとよい。【００１４】  本発明のくさび着脱機構において、前記掛止部は、前記くさびの上端部に形成された第１突起に掛止され、前記凸状部は、前記水平材の上面に当接され、前記力点部を前記水平材側に押圧することにより、前記凸状部を支点にして前記掛止部を前記押圧方向と反対方向に変位させるとともに前記くさびを前記反対方向に変位させ、これにより前記くさびを前記フランジ孔から弛緩させて前記水平材を前記支柱から取り外すとよい。【００１５】  本発明の第２の側面によって提供されるくさび着脱工具は、支柱に設けられた略板状のフランジと、一端部が前記フランジに連結される長尺状の水平材と、前記水平材の一端部を上方から貫通しつつ前記フランジのフランジ孔に挿入して緊結するくさびと、を備える仮設足場に用いられるくさび着脱工具であって、長尺状の本体と、前記本体の一端部に設けられ、かつ前記くさびの下端部に形成された第１突起に掛止され、作用点として機能する掛止部と、前記本体の中央寄りに設けられ、かつ前記水平材の下面に当接され、支点として機能する側面視凸状部と、前記本体の他端部に設けられ、力点として機能する力点部と、を備え、前記力点部を押圧することにより、前記凸状部を支点にして前記掛止部を前記押圧方向と反対方向に変位させるとともに前記くさびを前記反対方向に変位させ、これにより前記くさびを前記フランジ孔に緊結させて前記水平材を前記支柱に固定することを特徴としている。【００１６】  本発明のくさび着脱工具において、前記掛止部は、前記くさびの上端部に形成された第１突起に掛止され、前記凸状部は、前記水平材の上面に当接され、前記力点部を押圧することに��り、前記凸状部を支点にして前記掛止部を前記押圧方向と反対方向に変位させるとともに前記くさびを前記反対方向に変位させ、これにより前記くさびを前記フランジ孔から弛緩させて前記水平材を前記支柱から取り外すとよい。【００１７】  本発明のくさび着脱工具において、前記凸状部の表面は、前記水平材または前記支柱に沿うようにテーパが形成されているとよい。【００１８】  本発明の第３の側面によって提供されるくさび着脱方法は、支柱に設けられた略板状のフランジと、一端部が前記フランジに連結される長尺状の水平材と、前記水平材の一端部を上方から貫通しつつ前記フランジのフランジ孔に挿入して緊結するくさびと、を備える仮設足場に用いられるくさび着脱方法であって、長尺状の本体を有するくさび着脱工具を準備し、前記本体の一端部を前記くさびの下端部に形成された第１突起に掛止させて作用点とし、前記本体の中央寄りに形成された側面視凸状部を前記水平材の下面に当接させて支点とし、前記本体の他端部を力点とし、前記本体の他端部を押圧することにより、前記凸状部を支点にして前記本体の一端部を前記押圧方向と反対方向に変位させるとともに前記くさびを前記反対方向に変位させ、これにより前記くさびを前記フランジ孔に緊結させて前記水平材を前記支柱に固定することを特徴としている。【００１９】  本発明のくさび着脱方法は、前記本体の一端部を前記くさびの上端部に形成された第１突起に掛止させて作用点とし、前記凸状部を前記水平材の上面に当接させて支点とし、前記本体の他端部を力点とし、前記本体の他端部を押圧することにより、前記凸状部を支点にして前記本体の一端部を前記押圧方向と反対方向に変位させるとともに前記くさびを前記反対方向に変位させ、これにより前記くさびを前記フランジ孔から弛緩させて前記水平材を前記支柱から取り外すとよい。
【発明の効果】
【００２０】  本発明によれば、くさび着脱工具を用いていわゆるてこの原理によって水平材を支柱に固定する。すなわち、くさび着脱工具の力点部を押圧することにより、凸状部を支点にして、くさびの第１突起に掛止された掛止部が押圧方向と反対方向に変位されるとともにくさびが反対方向に変位する。これにより、くさびはフランジ孔に緊結し、水平材は支柱に固定される。そのため、従来の構成のように、くさびの緊結にハンマー等を用いる必要がなく、水平材を支柱に少ない力で容易に固定することができる。したがって、ハンマー等の衝打による騒音や部材の損傷の問題を解消することができ、またハンマー等を衝打することによる作業者の労力を低減することができる。【００２１】  また、本発明によれば、水平材を支柱から取り外す際においても、くさび着脱工具の力点部を押圧することにより、凸状部を支点にしてくさびの第１突起に掛止された掛止部が押圧方向と反対方向に変位されるとともにくさびが反対方向に変位する。これにより、くさびはフランジ孔から弛緩し、水平材は支柱から取り外される。したがって、水平材を支柱から取り外す場合も、従来の構成のようにハンマー等を用いる必要がなく、騒音や部材の損傷の問題を解消することができる。
【図面の簡単な説明】
【００２２】
【図１】本発明に係るくさび着脱機構が適用される仮設足場の部分斜視図である。
【図２】仮設足場の部分側面図である。
【図３】くさび着脱工具の外形図であり、（ａ）は正面図を示し、（ｂ）は側面図を示し、（ｃ）は平面図を示す。
【図４】支柱に水平材を取付けるときの状態を示す部分側面図である。
【図５】支柱に水平材を取付けるときの状態を示す部分側面図である。
【図６】くさびをフランジに緊結するときの状態を示す部分側面図であり、（ａ）は緊結する前の状態を示し、（ｂ）は緊結した後の状態を示す。
【図７】くさびをフランジから取り外すときの状態を示す部分側面図であり、（ａ）は取り外す前の状態を示し、（ｂ）は取り外した後の状態を示す。
【図８】従来のくさび緊結式足場において支柱に水平材が取付けられる状態を示す部分斜視図である。
【図９】従来の支柱に水平材が取付けられる状態を示す部分側面図である。
【発明を実施するための形態】
【００２３】  以下、本発明の実施の形態につき、図面を参照して具体的に説明する。
【００２４】  図１は、本発明に係るくさび着脱機構が適用される仮設足場の部分斜視図である。図２は、仮設足場の部分側面図である。図３は、くさび着脱工具の外形図であり、（ａ）は正面図を示し、（ｂ）は側面図を示し、（ｃ）は平面図を示す。
【００２５】  本実施形態における仮設足場は、建築工事現場等で用いられる、いわゆるくさび緊結式足場であり、図１に示すような支柱１が複数立設される。支柱１は、通常、建築物（図略）の外面に沿って所定間隔を隔てて上下方向に延びて複数設けられる。複数の支柱１同士間には、各支柱１を支持するための水平材２が連結、固定される。
【００２６】  各支柱１には、上下方向に所定間隔を隔てて複数のフランジ３が設けられている。各フランジ３には、例えば水平材２を四方において連結させるために４つの掛止孔４がそれぞれ形成されている。これらの掛止孔４には、水平材２の一端部を固定するために後述するくさび７が緊結される。
【００２７】  水平材２は、円筒状のパイプ部材５と、パイプ部材５の両端に設けられた連結部材６と（図１では片端のみ記載されている。）、連結部材６に支持され、その内部に貫入されたくさび７とによって構成されている。パイプ部材５は、中空状に形成されており、パイプ部材５の直径は例えば約４２．７ｍｍとされている。
【００２８】  連結部材６は、水平材２を支柱１のフランジ３に掛止させるためのものである。連結部材６は、全体形状が略円筒状とされ、支柱１側が略ワニ口状に形成されるとともに、側面視で支柱１側に向かうほど上下方向に広がるように形成された側面開口８が形成されている。連結部材６は内部に空間部が形成されており、側面開口８はこの空間部に連通されている。
【００２９】  側面開口８において一方の側面及び他方の側面の開口高さＨ１（図２参照）は、支柱１のフランジ３の厚みよりやや大とされている。連結部材６は、この側面開口８によって、フランジ３を上下方向から挟むことができる。
【００３０】  連結部材６は、図１に示すように、その上面に支柱１側近傍からパイプ部材５側の周端に至って延びる上面開口９が形成されている。上面開口９の幅（奥行き方向の幅）は、くさび７の厚みよりやや大とされている。また、連結部材６は、その下面が支柱１側近傍からパイプ部材５側の周端に至って延びる下面開口１０（図２参照）が形成されている。下面開口１０のパイプ部材５側の幅も、くさび７の厚みよりやや大とされている。
【００３１】  くさび７は、縦長の略平板状に形成され、図２における本体右側面が本体中央のやや上部が頂点となるように略山型に形成されている。くさび７は、その下端部が図２における右方向にやや湾曲されて形成されている。くさび７の下端部近傍には、手前方向及び奥行き方向にともに突出した第１突起７ａが形成されている。くさび７は、この第１突起７ａにより、上面開口９を通じて上方側に抜脱しないようになっている。
【００３２】  くさび７は、その上端部に本体中央部に比べ奥行き方向に幅広に形成された第２突起７ｂが形成されている。くさび７は、この第２突起７ｂにより上面開口９の周縁で掛止され、くさび７全体が上面開口９を通じて連結部材６の内部に入り込まないようにされている。
【００３３】  本実施形態では、支柱１に水平材２を固定する際、及び支柱１から水平材２を取り外す際に、図３に示すようなくさび着脱工具１１が用いられる。くさび着脱工具１１は、てこの原理を利用してくさび７を連結部材６に対して下方に引き込んでフランジ孔４に緊結させたり、くさび７を連結部材６に対して上方に移動させてフランジ孔４から弛緩させたりするものである。
【００３４】  くさび着脱工具１１は、長尺状に形成された本体１２と、本体１２の一端部近傍を両側から挟み込むように設けられた一対の挟設部１３とによって構成されている。
【００３５】  本体１２は、図３（ｂ）に示すように、その他端側が若干折り曲げられて折曲部１６が形成されており、この折曲部１６は、後述するように作業者が押圧力を加える力点として機能する。なお、折曲部１６は、特許請求の範囲に記載の「力点部」に相当する。
【００３６】  挟設部１３は、先端が本体１２の一端より延出されて形成され、側面視で略鷹のくちばし状に形成されている。挟設部１３の先端下部は、凹んだ略円弧状に形成された掛止部１４とされ、この掛止部１４には、後述するように、くさび７の第２突起７ｂまたは第１突起７ａが掛止される。なお、この掛止部１４は、作用点として機能する。
【００３７】  挟設部１３の上端は、側面視でなだらかな凸状に形成された凸状部１５とされている。凸状部１５には、後述するように、水平材２の円表面が当接される。凸状部１５の上表面は、図３（ａ）に示すように、水平材２の円表面に沿うように内側に向かうほど狭まるようなテーパが形成されている。なお、凸状部１５は、支点として機能する。この場合、凸状部１５は、テーパが形成されているため、くさび着脱工具１１を水平材２に確実に支持することができる。また、挟設部１３は、本体１２に一体的に設けられるが、本体１２と別体とされていてもよい。
【００３８】  次に、本実施形態に係るくさび着脱機構において、支柱１に水平材２を固定する手順を説明する。
【００３９】  まず、作業者は、支柱１に水平材２を固定する際、図４に示すように、くさび７を水平材２に対して斜め方向に連結部材６の上面開口９で支持させる。これにより、側面開口８が解放されるので、この状態で連結部材６を支柱１のフランジ３側に移動させ（図４の矢印Ａ参照）、連結部材６をフランジ３に掛止させる。このとき、くさび７の第１突起７ａは、連結部材６の上面開口９の内側で保持されるので、くさび７が連結部材６から抜け出るようなことはない。
【００４０】  次に、作業者は、くさび７の第２突起７ｂを把持し、図５に示すように、上下方向に延びるように支持する。このとき、くさび７の第１突起７ａは、連結部材６の空間部に位置している。次いで、作業者は、くさび７の下端がフランジ３のフランジ孔４と、連結部材６の下面開口１０とを貫通させ、くさび７の下端が連結部材６から若干突出する位置までくさび７を下方に移動させる（図５の矢印Ｂ参照）。
【００４１】  ここで、くさび着脱工具１１を準備し、図６（ａ）に示すように、くさび着脱工具１１の狭設部１３の掛止部１４がくさび７の各第１突起７ａに掛止するように、くさび着脱工具１１を水平材２側に押し込み（矢印Ｃ参照）、一対の狭設部１３がくさび７の本体を厚み方向に挟み込むようにする。そして、くさび着脱工具１１の凸状部１５を水平材２の下面に当接させ、図６（ｂ）に示すように、この当接部分を支点にして力点部１６を下方から水平材２に向けて押圧する（矢印Ｄ参照）。
【００４２】  これにより、くさび７の第１突起７ａは、くさび着脱工具１１の掛止部１４によって下方（押圧方向と反対方向）に変位し、くさび７は下方に引き込まれる。そのため、くさび７は、フランジ３のフランジ孔４に強固に緊結され、これにより、水平材２は支柱１に固定される。
【００４３】  このように、本実施形態によれば、くさび着脱工具１１を用い、てこの原理によりくさび７を下方に容易に引き込むことができ、くさび７をフランジ孔４に緊結させることができる。そのため、従来のくさび着脱機構のようにハンマー３２等でくさび７を衝打することがないので、騒音を生じさせることがなく、例えばくさび７が損傷することを抑制することができる。またハンマー等を衝打することによる作業者の労力を低減することができる。
【００４４】  次に、支柱１から水平材２を取り外す手順を説明する。
【００４５】  作業者は、図７（ａ）に示すように、くさび７がフランジ孔４に強固に緊結された状態において、くさび着脱工具１１の狭設部１３の掛止部１４がくさび７の各第２突起７ｂに掛止するように、くさび着脱工具１１を水平材２側に押し込み（矢印Ｅ参照）、一対の狭設部１３がくさび７の本体を厚み方向に挟み込むようにする。そして、くさび着脱工具１１の凸状部１５を水平材２の上面に当接させ、図７（ｂ）に示すように、この当接部分を支点にして力点部１６を上方から水平材２に向けて押圧する（矢印Ｆ参照）。
【００４６】  これにより、くさび７の第２突起７ｂは、くさび着脱工具１１の掛止部１４によって上方に変位し、くさび７は上方に移動される。そのため、くさび７は、フランジ３のフランジ孔４から弛緩され、水平材２は、支柱１から取り外すことができる。
【００４７】  このように、くさび着脱工具１１は、水平材２を支柱１から取り外す場合にも用いることができる。この場合も、従来のくさび着脱機構のようにハンマー３２等でくさび７を衝打することがないので、騒音を生じさせることがなく、くさび７が損傷することを抑制することができる。
【００４８】  また、本実施形態によれば、支柱１に水平材２を固定する場合及び支柱１から水平材２を取り外す場合の両方について、一つのくさび着脱工具１１によって行い得ることができる。そのため、製品コストを低減することができる。
【００４９】  さらに、くさび着脱工具１１は、てこの原理を用いて支柱１に水平材２を固定したり支柱１から水平材２を取り外したりすることができるので、作業者は比較的小さな力で行うことができる。そのため、従来のくさび着脱機構のようにハンマー３２等でくさび７を衝打することによる労力を低減することができ、作業に負担をかけることがない。
【００５０】  また、本実施形態によれば、くさび７に形成されている第２突起７ｂ及び第１突起７ａを利用して、支柱１に対する水平材２の固定及び取り外しを行うことができる。そのため、くさび７の形状がそのまま利用されるので、くさび７を加工する必要がなく、加工コスト等が不要である。
【００５１】  なお、本発明の範囲は上述した実施の形態に限定されるものではなく、発明の範囲を逸脱しない範囲で種々の変更を行うことができる。例えば上記実施形態における支柱１、水平材２、フランジ３、連結部材６、くさび７及びくさび着脱工具１１等の各部材の数、形態、大きさ及び構造等は、上記実施形態に限るものではなく適宜設計変更可能である。
【００５２】  特に、くさび着脱工具１１は、支柱１及び水平材２の固定及び取外しをてこの原理を用いて行い得るものであれば、上記した実施形態に限るものではない。
【符号の説明】
【００５３】  １    支柱
２    水平材
３    フランジ
４    掛止孔
５    パイプ部材
６    連結部材
７    くさび
７ａ  第１突起
７ｂ  第２突起
１１    くさび着脱工具
１２    本体
１３    狭設部
１４    掛止部
１５    凸状部
１６    力点部
【図１】
2014129710.tif 000003
【図２】
2014129710.tif 000004
【図３】
2014129710.tif 000005
【図４】
2014129710.tif 000006
【図５】
2014129710.tif 000007
【図６】
2014129710.tif 000008
【図７】
2014129710.tif 000009
【図８】
2014129710.tif 000010
【図９】
2014129710.tif 000011